(57)【要約】【課題】片持ち振動板を振動させて発音する鍵盤楽器であって、発生される音の音量を大きくした鍵盤楽器を提供する。さらに、前記発生される音を豊かにして、表現力を向上させた鍵盤楽器を提供する【解決手段】複数の振動板２４，２５，２６が共鳴体２７に片持ち梁状に組み付けられる。鍵１１は、フレームＦＲに固定された鍵支持部１２によって揺動可能に支持される。鍵１１の後部に、それぞれ振動板２４，２５，２６を弾くための複数の弾き部材２１，２２，２３が組み付けられる。振動板２４，２５，２６のうちの少なくとも１つの固有振動周波数を、鍵１１の鍵音高に対応した周波数としておき、他の振動板の固有振動周波数を、鍵１１の鍵音高に対応する周波数とは僅かに異ならせる。【選択図】図１
2011075754.tif 000002
【特許請求の範囲】
【請求項１】
複数の鍵からなる鍵盤と、
前記複数の鍵にそれぞれ対応して設けられ、振動して発音する複数の振動部と、
前記複数の振動部にそれぞれ対応して設けられ、各鍵の押鍵操作に連動して、前記振動部を励振する複数の励振部とを備えた鍵盤楽器において、
前記振動部は、複数の片持ち振動板からなり、
前記励振部は、各鍵の一度の押鍵操作により、前記複数の片持ち振動板のうちのいずれか１つ又は複数の片持ち振動板を励振するようにしたことを特徴とする鍵盤楽器。
【請求項２】
前記複数の片持ち振動板のうち、いずれか１つ又は複数の片持ち振動板の固有振動周波数を鍵音高に対応する周波数とは僅かに異ならせたことを特徴とする請求項１に記載の鍵盤楽器。
【請求項３】
前記励振部は、前記複数の片持ち振動板のうち、少なくとも２つの片持ち振動板を異なるタイミングで励振することを特徴とする請求項１又は２に記載の鍵盤楽器。
【発明の詳細な説明】
【技術分野】
【０００１】
本発明は、打鍵によって片持ち振動板を振動させて演奏する鍵盤楽器に関する。
【背景技術】
【０００２】
従来から、例えば下記特許文献１に示されているように、演奏者による鍵の押鍵操作によって片持ち振動板を振動させて発音する鍵盤楽器は知られている。この鍵盤楽器においては、鍵の鍵音高に対応した周波数で振動する片持ち振動板が各鍵ごとに１つずつ設けられている。
【先行技術文献】
【特許文献】
【０００３】
【特許文献１】特開２００４−２０６０２８号公報
【発明の概要】
【０００４】
上記従来の鍵盤楽器においては、一度の押鍵操作によって振動する片持ち振動板は１つだけなので、発生される音は、その音量が小さく、またオルゴールと同様に単純である。
【０００５】
本発明は上記問題に対処するためになされたもので、その目的は、演奏者による鍵の押鍵操作によって片持ち振動板を振動させて発音する鍵盤楽器であって、発生される音の音量を大きくした鍵盤楽器を提供することにある。さらに、前記発生される音を豊かにして、表現力を向上させた鍵盤楽器を提供することにある。
【０００６】
上記目的を達成するために、本発明の特徴は、複数の鍵（１１）からなる鍵盤と、複数の鍵にそれぞれ対応して設けられ、振動して発音する複数の振動部と、複数の振動部にそれぞれ対応して設けられ、各鍵の押鍵操作に連動して、振動部を励振する複数の励振部とを備えた鍵盤楽器において、振動部は、複数の片持ち振動板（２４，２５，２６）からなり、励振部（２１，２２，２３，５７ａ１，５７ｄ１）は、各鍵の一度の押鍵操作により、複数の片持ち振動板のうちのいずれか１つ又は複数の片持ち振動板を励振するようにしたことにある。例えば、複数の片持ち振動板のすべてを励振するようにすれば、上記従来の鍵盤楽器に比べて大きな音量で発音させることができる。また、励振部の一部を省略して、いくつかの片持ち振動板が励振されないようにしても、励振されない片持ち振動板は、励振された片持ち振動板の振動に起因して共振する。したがって、複数の片持ち振動板のすべてを励振する場合よりも単純な構造の励振部によって、上記従来の鍵盤楽器に比べて大きな音量で発音させることができる。
【０００７】
また、本発明の他の特徴は、複数の片持ち振動板のうち、いずれか１つ又は複数の片持ち振動板の固有振動周波数を鍵音高に対応する周波数とは僅かに異ならせたことにある。これによれば、一度の押鍵操作において、僅かに音程の異なる音が同時に発生するので、上記従来の鍵盤楽器に比べて大きな音量で発音できるだけでなく、音が豊かに広がったような効果（コーラス効果）を得ることができる。
【０００８】
また、本発明の他の特徴は、励振部は、複数の片持ち振動板のうち、少なくとも２つの片持ち振動板を異なるタイミングで励振することにある。これによれば、一度の押鍵操作において、複数の片持ち振動板のうちのいくつかの振動板は他の振動板の振動開始に遅れて振動し始めるので、音の立ち上がりが複雑になり、発生される音が豊かになる。したがって、楽器の表現力を向上させることができる。
【０００９】
なお、前記括弧内の符号は、本発明の理解を容易にするために、後述する実施形態との対応関係を示すものであるが、本発明はこれに限定されるものではない。
【図面の簡単な説明】
【００１０】
【図１】本発明の第１実施形態に係る鍵盤楽器を縦断して１つの鍵について示す右側面図である。
【図２】図１の鍵盤楽器の１つの鍵について示す平面図である。
【図３】本発明の第２実施形態に係る鍵盤楽器の１つの鍵について示す平面図である。
【図４】本発明の第３実施形態に係る鍵盤楽器を縦断して、１つの鍵の後部を拡大して示す右側面である。
【図５】図４の鍵盤楽器の１つの鍵の後部を拡大して示す平面図である。
【図６】本発明の第３実施形態の変形例に係る鍵盤楽器を縦断して、１つの鍵について示す右側面図である。
【図７】図６の鍵盤楽器の１つの鍵について示す平面図である。
【図８Ａ】図６の鍵盤楽器の可動共鳴体の構成を示す図である。
【図８Ｂ】図６の鍵盤楽器の固定共鳴体の構成を示す図である。
【図９】図６の鍵盤楽器のレバーを踏み込んで、可動共鳴体と固定共鳴体を上下方向に離間させた状態を示す図である。
【図１０】本発明の第３実施形態の他の変形例に係る鍵盤楽器を縦断して、１つの鍵について示す右側面図である。
【図１１】本発明の第３実施形態の他の変形例に係る鍵盤楽器を縦断して、１つの鍵について示す右側面図である。
【図１２】本発明の第１乃至第３実施形態の変形例に係る鍵盤楽器を縦断して、１つの鍵について示す右側面図である。
【図１３】図１２のアームの構成を示す図である。
【図１４Ａ】図１２の回転式弾き部の右側面図である。
【図１４Ｂ】図１２の回転式弾き部の平面図である。
【図１４Ｃ】図１２の回転式弾き部の左側面図である。
【図１５】図１２のＡ−Ａ線に沿って見た断面図である。
【図１６Ａ】離鍵状態における第１駆動部と第１被駆動爪の位置関係を示す図である。
【図１６Ｂ】離鍵状態における第２駆動部と第２被駆動爪の位置関係を示す図である。
【図１７Ａ】押鍵途中の第１駆動部と第１被駆動爪の位置関係を示す図である。
【図１７Ｂ】押鍵途中の第２駆動部と第２被駆動爪の位置関係を示す図である。
【図１８Ａ】押鍵終了時の第１駆動部と第１被駆動爪の位置関係を示す図である。
【図１８Ｂ】押鍵終了時の第２駆動部と第２被駆動爪の位置関係を示す図である。
【図１９Ａ】離鍵途中の第１駆動部と第１被駆動爪の位置関係を示す図である。
【図１９Ｂ】離鍵途中の第２駆動部と第２被駆動爪の位置関係を示す図である。
【発明を実施するための形態】
【００１１】
ａ．第１実施形態
以下、本発明の第１実施形態について図面を用いて説明する。この鍵盤楽器は、図１及び図２に示すように、演奏者によって押離鍵操作される複数の鍵を有する。なお、いずれの鍵についても構成は同様なので、以降の説明は１つの鍵１１についてのみ行う。鍵１１は合成樹脂によって長尺状に形成されている。そして、鍵１１は、フレームＦＲに設けられた鍵支持部１２により支持されており、中間部の回転中心１３を中心として、前端部が上下方向に揺動可能となっている。なお、フレームＦＲとは、この鍵盤楽器の種々の部品を支持するための構造体及びこの鍵盤楽器のハウジング自体を意味する。鍵１１の前部下方には、ばね１４が設けられている。ばね１４の下端はフレームＦＲに固定され、その上端は鍵１１の前部下面に当接している。ばね１４は、鍵１１の前部を上方へ付勢する。また、鍵１１の前部下方には、ゴム、フェルトなどの衝撃吸収材によって構成された長尺状の下限ストッパ１６が横方向に延設されてフレームＦＲに固定されている。この下限ストッパ１６は、鍵１１の前部の下方への変位を規制する。また、鍵１１の後部下方には、下限ストッパ１６と同様の上限ストッパ１７が横方向に延設されてフレームＦＲに固定されている。この上限ストッパ１７は鍵１１の前部の上方への変位を規制する。
【００１２】
鍵１１の後部上面には、金属製で平面視方形状に形成された板状のベース板１８が組み付けられている。ベース板１８の上面には、後述の振動板２４，２５，２６を弾くための弾き部を構成する３つの弾き部材２１，２２，２３が、横方向に等間隔に組み付けられている。弾き部材２１，２２，２３は、金属製で四角錐状に形成されていて、先細りとなった端部が鍵１１及びベース板１８の後端から楽器後部側へ張り出している。なお、弾き部材２１，２２，２３の形状はこれに限られず、鍵１１及びベース板１８の後端から後方へ突出していて、鍵１１の揺動に伴って振動板２４，２５，２６を弾くことができる形状（例えば四角柱状）であればよい。また、弾き部材２１，２２，２３は、鍵１１の後端面に組み付けられていてもよい。また、横方向に幅の広い弾き部材を１つ設けて、この弾き部材で振動板２４，２５，２６を弾くようにしてもよい。この場合、例えば、ベース板１８を鍵１１の後端から後方へ張り出させておいて、ベース板１８の後端部で振動板２４，２５，２６を弾くようにしてもよい。すなわち、ベース板１８の後端部を弾き部として利用してもよい。
【００１３】
鍵１１の後方かつ上方には、弾き部材２１，２２，２３にそれぞれ対応して、振動部を構成する３つの振動板２４，２５，２６が設けられている。振動板２４，２５，２６は金属などの板状弾性部材で長尺状に形成される。振動板２４，２５，２６の一端は楽器後部にて横方向に延設された平板状の共鳴体２７の上面に固定される。そして、その他端は共鳴体２７から前方へ張り出している。すなわち、振動板２４，２５，２６は片持ち梁状に支持されており、横方向に等間隔に並設されている。振動板２４，２５，２６の固有振動周波数は、鍵１１の音高に対応した周波数と同一である。したがって、振動板２４，２５，２６の幅、厚み及び長さは同一である。共鳴体２７は支持部材２８を介してフレームＦＲに固定される。なお、この鍵盤楽器を構成するすべての振動板に対して１つの共鳴体２７を設けてもよいし、所定の音域（例えば１オクターブ）ごと又は鍵１１ごとに共鳴体２７を設けてもよい。
【００１４】
次に、上記のように構成した鍵盤楽器の動作を説明する。離鍵時においては、ばね１４によって鍵１１の前部が上方へ付勢される。これにより、鍵１１の後端部下面が上限ストッパ１７の上面に当接して、図１の状態となっている。一方、ばね１４の付勢力に対抗して、鍵１１を押すと、鍵１１は、回転中心１３を中心として、図１にて反時計回りに回転し始め、弾き部材２１，２２，２３が上方へ変位する。その後、弾き部材２１，２２，２３は、それぞれ振動板２４，２５，２６の自由端に当接して、振動板２４，２５，２６の自由端側を上方へ押し曲げる。弾き部材２１，２２，２３が、さらに上方へ変位すると、弾き部材２１，２２，２３は、それぞれ振動板２４，２５，２６を乗り越える。すなわち、弾き部材２１，２２，２３が、それぞれ振動板２４，２５，２６を弾く。これにより、振動板２４，２５，２６が振動し、その振動が共鳴体２７により増幅され、鍵音高に対応する楽器音が発音される。さらに深く押鍵されると、鍵１１の前部下面が下限ストッパ１６に当接し、鍵１１の前部の下方への変位が規制される。
【００１５】
離鍵時においては、ばね１４の付勢力によって鍵１１の前部が上方へ押し上げられる。これにより、鍵１１は回転中心１３を中心として、図１において時計回りに回転し始め、弾き部材２１，２２，２３が下方へ変位する。すると、弾き部材２１，２２，２３がそれぞれ振動板２４，２５，２６の自由端に当接して、振動板２４，２５，２６の振動を抑制する。弾き部材２１，２２，２３がさらに下方へ変位すると、弾き部材２１，２２，２３は振動板２４，２５，２６を乗り越える。鍵１１の後部下面が上限ストッパ１７に当接すると、鍵１１の前部の上方への変位が規制され、鍵１１は元の位置（図１の位置）へ復帰する。
【００１６】
上記のように構成した鍵盤楽器においては、鍵１１の一度の押鍵操作によって鍵１１の後部上面に組み付けられた弾き部材２１，２２，２３で振動板２４，２５，２６を弾いて、発音することができる。すなわち、一度の押鍵操作によって、３つの振動板２４，２５，２６が振動するので、上記従来の鍵盤楽器に比べて大きな音量で発音することができる。なお、上記実施形態においては、鍵１１について、３つの振動板２４，２５，２６を設けたが、振動板の数は３つに限られない。すなわち、２つ以上であれば、振動板をいくつ設けてもよい。そして、弾き部によって複数の振動板を同時に弾くようにすればよい。このように構成しても、図１に示す第１実施形態と同様の効果が得られる。
【００１７】
また、上記第１実施形態においては、振動板２４，２５，２６の固有振動周波数を鍵音高に対応した周波数と同一とした。しかし、少なくとも１つの振動板の固有振動周波数を鍵音高に対応した周波数と同一としておき、他の振動板の固有振動周波数を鍵音高に対応した周波数とは僅かに異なるようにしてもよい。このように構成すれば、周波数の異なる音を同時に発生させて、発生音にコーラス効果を付与することができる。したがって、楽器の表現力を向上させることができる。
【００１８】
ｂ．第２実施形態
次に、弾き部によって弾かれない振動板を有するようにした、本発明の第２実施形態について説明する。本実施形態の構成は、ほぼ第１実施形態と同様であるが、図３に示すように、第１実施形態の弾き部材２３が省略されている。すなわち、本実施形態に係る鍵盤楽器は、振動板２４，２５を弾くための弾き部を構成する２つの弾き部材２１，２２を有し、振動板２６を弾くための弾き部材を有さない。
【００１９】
上記のように構成した本発明の第２実施形態に係る鍵盤楽器の動作も、第１実施形態とほぼ同様である。ただし、鍵１１が押されると、振動板２４，２５は弾き部材２１，２２によって弾かれるが、振動板２６は弾かれない。しかし、振動板２６は、振動板２４，２５の振動に起因して共振する。
【００２０】
上記のように構成した鍵盤楽器においては、２つの振動板２４，２５がそれぞれ弾き部材２１，２２によって弾かれ、弾き部によって弾かれない振動板２６も振動板２４，２５の振動に起因して共振するので、上記従来の鍵盤楽器に比べて大きな音量で発音することができる。また、第１実施形態の弾き部材２３を省略して、２つの弾き部材２１，２２を有するようにしたので、第１実施形態に比べて簡単な構成にすることができる。なお、振動板は３つに限られず、２つ以上であればいくつ設けてもよい。そして、少なくとも１つの弾き部材が、少なくとも１つの振動板を弾くようにしておいて、他の弾き部材を省略すればよい。このように構成しても、弾き部によって弾かれない振動板は、弾かれた他の振動板の振動に起因して共振するため、上記第２実施形態と同様の効果が得られる。また、上記第２実施形態においても、少なくとも１つの振動板の固有振動周波数を鍵音高に対応した周波数と同一としておき、他の振動板の固有振動周波数を鍵音高に対応した周波数とは僅かに異ならせるようにしてもよい。これにより、発生音にコーラス効果を付与することができる。
【００２１】
ｃ．第３実施形態
次に、弾き部が振動板を弾くタイミングを異ならせるようにした本発明の第３実施形態について説明する。本実施形態においては、図４及び図５に示すように、振動板２４，２５は、共鳴体２７の下面に組み付けられ、振動板２６は、共鳴体２７の上面に組み付けられる。すなわち、振動板２６は、振動板２４，２５よりも共鳴体２７の厚さ分だけ上方に位置する。その他の構成は、第１実施形態と同様である。
【００２２】
鍵１１が押され、押鍵深さが中程度まで達した段階で、まず弾き部材２１，２２が振動板２４，２５をそれぞれ同時に弾く。この段階では、弾き部材２３は、振動板２６の下方に位置している。そして、鍵１１がさらに深く押されると、弾き部材２３が振動板２６を弾く。
【００２３】
上記のように構成した本発明の第３実施形態に係る鍵盤楽器においては、押鍵操作時に、振動板２６は、振動板２４，２５に遅れて振動を開始する。そのため、上記従来の鍵盤楽器よりも大きな音量で発音させることができるだけでなく、音の立ち上がりを複雑にして、発生される音を豊かにできる。したがって、楽器の表現力を向上させることができる。また、押鍵開始から押鍵深さが中程度まで達して、振動板２４，２５を弾いた直後に離鍵した場合、振動板２６は弾かれないが、振動板２６は振動板２４，２５の振動に起因して共振する。したがって、押鍵途中で離鍵する場合と、深く押鍵する場合とで、異なった音を発生させることができるので、楽器の表現力を向上させることができる。なお、本実施形態においても振動板は３つに限られず、２つ以上の振動板を設ければよい。そして、少なくとも１つの振動板を共鳴体２７の上面に組み付け、少なくとも１つの振動板を共鳴体２７の下面に組み付ければよい。３つ以上の振動板を有する場合は、上下方向に離間した少なくとも一組の振動板を弾くための弾き部材を設けて、他の振動板を弾くための弾き部材を省略してもよい。
【００２４】
また、第３実施形態においても、少なくとも１つの振動板の固有振動周波数を鍵音高に対応した周波数と同一としておき、他の振動板の固有振動周波数を鍵音高に対応した周波数とは僅かに異なるようにしてもよい。これにより、発生音にコーラス効果を付与することができる。
【００２５】
また、全ての振動板２４，２５，２６を、共鳴体２７の上面（又は下面）に組み付けるとともに、ベース板１８の上面に、弾き部材２１，２２よりも弾き部材２３の組み付け位置が低くなるように段差を設けておいてもよい。このように構成しても、弾き部材２１，２２が振動板２４，２５を弾くのに遅れて、弾き部材２３が振動板２６を弾くので、上記第３実施形態と同様の効果が得られる。
【００２６】
また、図６及び図７に示すようにペダルの踏み込みによって、振動板２４と振動板２５，２６との上下方向の距離を変更可能とするようにしてもよい。振動板２４，２５，２６の下方には、レバー２９がフレームＦＲに固定されたレバー支持部３１に支持されており、前端部が上下方向に揺動可能となっている。レバー２９の前部下方には、ばね３２がフレームＦＲに固定されており、レバー２９の前部を上方へ付勢している。レバー２９の中間部上方には、レバー２９の上方向への変位を規制するレバー上限ストッパ３３がフレームＦＲに固定されている。レバー２９の前部下方には、レバー２９の下方への変位を規制するレバー下限ストッパ３４がフレームＦＲに固定されている。
【００２７】
レバー２９の後部上面には、駆動ロッド３６の下端が当接している。駆動ロッド３６は長尺状部材で、上方へ延設されている。駆動ロッドの中間部には、上下に離間した２つの円柱部３６ａ，３６ｂが設けられている。円柱部３６ａは、円柱部３６ｂの上方に位置し、円柱部３６ａ，３６ｂの中間には、円筒状のガイド３７が設けられている。ガイド３７の下端は、フレームＦＲに固定されている。駆動ロッド３６は、ガイド３７によってガイドされて上下方向にのみ変位する。また、ゴム、フェルトなどの衝撃吸収材によって構成された環状の駆動ロッド上限ストッパ３８がフレームＦＲに固定されている。また、駆動ロッド上限ストッパ３８と同様の駆動ロッド下限ストッパ３９がガイド３７の上面に固定されている。円柱部３６ａの下面及び円柱部３６ｂの上面が、それぞれ駆動ロッド下限ストッパ３９及び駆動ロッド上限ストッパ３８に当接して、駆動ロッド３６の変位が規制される。
【００２８】
駆動ロッド３６の上端には、可動共鳴体４１が組み付けられる。可動共鳴体４１は、図８Ａに示すように、横方向に延設された金属板の前部の一部を切り欠くことにより、平面視方形状の前方に張り出した張出し部を有する。この張出し部の下面に、振動板２４の後部が組み付けられ、振動板２４はさらに前方へ張り出している。可動共鳴体４１の下方には、固定共鳴体４２が支持部材２８を介してフレームＦＲに固定されている。固定共鳴体４２も、図８Ｂに示すように、可動共鳴体４１と同様に、横方向に延設された金属板で、前部に平面視方形状の前方に張り出した張出し部を有する。この張出した部の上面に、振動板２５，２６の後部が組み付けられ、振動板２５，２６は、さらに前方へ張り出している。
【００２９】
レバー２９が踏み込まれていない状態においては、ばね３２によって、レバー２９の前端部が上方へ付勢され、レバー２９の上面がレバー上限ストッパ３３に当接する。そして、駆動ロッド３６の円柱部３６ａの下面が駆動ロッド下限ストッパ３９に当接して、図６の状態になっている。すなわち、振動板２４，２５，２６は、第１実施形態と同様に、横方向に等間隔に並設された状態となっており、上下方向及び前後方向の位置も同一となっている。ばね３２の付勢力に対抗してレバー２９を踏み込むと、レバー２９の後部が上方へ変位する。これにより、駆動ロッド３６も上方へ変位するので、振動板２４も上方へ変位する。駆動ロッド３６の円柱部３６ｂの上面が駆動ロッド上限ストッパ３８に当接すると、駆動ロッド３６の上方への変位が規制され、図９の状態となる。すなわち、離鍵状態において、弾き部材２１と振動板２４との上下方向の距離は、弾き部材２２，２３と振動板２５，２６との上下方向の距離よりも大きくなる。この状態で押鍵すれば、弾き部材２２，２３が振動板２５，２６を弾くのに遅れて、弾き部材２１が振動板２４を弾くので、音の立ち上がりを複雑にして、発生される音を豊かにすることができる。また、演奏者が演奏中にレバー２９を踏み込み操作して、振動板２４と振動板２５，２６との上下方向の距離を変更することにより、振動板２４，２５，２６の振動開始タイミングを調節できるので、楽器の表現力をさらに向上させることができる。なお、駆動ロッド３６の円柱部３６ｂの上面が駆動ロッド上限ストッパ３８に当接する前に、演奏者がレバー２９の踏み込み操作を適当な位置で停止するようにすれば、振動板２４と振動板２５，２６との上下方向の距離を任意に変更することもできる。
【００３０】
また、図１０に示すように、可動共鳴体４１を固定共鳴体４２の下方に位置させておき、レバー２９の踏み込みにより、可動共鳴体４１を下方へ変位させるようにしてもよい。この場合、駆動ロッド３６に代えて下端がフック状に形成された駆動ロッド４３を用いる。駆動ロッド４３も図示しないガイドによって、上下方向にのみ変位可能となっている。レバー２９の中間部には、駆動ロッド４３の下端のフックに係合する駆動ロッド係合部２９ａが設けられる。駆動ロッド４３の中間部に設けられた円柱部４３ａとフレームＦＲの間にばね４４が設けられ、ばね４４の上端が円柱部４３ａの下面に当接している。これにより、駆動ロッド４３は上方へ付勢され、駆動ロッド４３の下端のフックは、駆動ロッド係合部２９ａに常に係合している。駆動ロッド４３の上端には可動共鳴体４１が組み付けられている。また、可動共鳴体４１の上方には、固定共鳴体４２が支持部材２８を介してフレームＦＲに固定されている。他の構成は、図６の場合と同様である。
【００３１】
レバー２９が踏み込まれていない状態においては、ばね３２によって、レバー２９の前端部が上方へ付勢され、レバー２９の上面がレバー上限ストッパ３３に当接する。そして、駆動ロッド４３は、ばね４４によって上方に付勢され、図１０の状態になっている。この状態では、図６に示す第３実施形態の変形例と同様に、振動板２４，２５，２６は、横方向に等間隔に並設されており、上下方向及び前後方向の位置も同一となっている。ばね３２及びばね４４の付勢力に対抗してレバー２９を踏み込むと、レバー２９に係合した駆動ロッド４３が下方へ変位するので、振動板２４も下方へ変位する。レバー２９の前部下面がレバー下限ストッパ３４に当接すると、レバー２９及び駆動ロッド４３の下方への変位が規制される。すなわち、離鍵状態において、弾き部材２１と振動板２４との上下方向の距離は、弾き部材２２，２３と振動板２５，２６との上下方向の距離よりも小さくなる。この状態で押鍵すれば、弾き部材２１が振動板２４を弾くのに遅れて、弾き部材２２，２３が振動板２５，２６を弾くので、図６に示す第３実施形態の変形例と同様の効果が得られる。また、この場合も、レバー下限ストッパ３４によって、レバー２９及び駆動ロッド４３の下方への変位が規制される前の適当な位置で、レバー２９の踏み込み操作を停止すれば、振動板２４と振動板２５，２６との上下方向の距離を任意に変更することもできる。
【００３２】
さらに、図１１に示すように、レバー２９の踏み込みにより可動共鳴体４１の支持部材４６を後方へ倒すように回転させてもよい。この場合、可動共鳴体４１の支持部材４６は、下端部がフレームＦＲに固定された支持部４７によって回転中心４７ａを中心として回転可能に支持される。また、支持部材４６の下端部から前方へ被駆動部４６ａが延設されている。被駆動部４６ａの下面には、駆動ロッド３６の上端が当接している。被駆動部４６ａの上方には、ばね４８が設けられている。ばね４８は、上端がフレームＦＲに固定されており、下端は被駆動部４６ａの上面に当接している。他の構成は、図６の場合と同様である。
【００３３】
レバー２９が踏み込まれていない状態においては、ばね３２によって、レバー２９の前端部が上方へ付勢され、レバー２９の上面がレバー上限ストッパ３３に当接する。また、ばね４８によって被駆動部４６ａが下方へ付勢されて、支持部材４６は回転中心４７ａを中心として図１１にて反時計回りに回転する。そして、駆動ロッド３６の円柱部３６ａの下面が駆動ロッド下限ストッパ３９の上面に当接して、図１１の状態となっている。この状態では、図６に示す第３実施形態の変形例と同様に、振動板２４，２５，２６は、横方向に等間隔に並設されており、上下方向及び前後方向の位置も同一となっている。ばね３２及びばね４８の付勢力に対抗してレバー２９を踏み込むと、レバー２９の後部が上方へ変位する。これにより、駆動ロッド３６も上方へ変位するので、支持部材４６が回転中心４７ａを中心として図１１において時計回りに回転する。駆動ロッド３６の円柱部３６ｂの上面が駆動ロッド上限ストッパ３８に当接すると、駆動ロッド３６の上方への変位が規制される。そのため、振動板２４が振動板２５，２６に対して傾斜した状態で支持部材４６の回転が停止し、振動板２４の前端部が振動板２５，２６の前端部よりも上方に位置する。すなわち、離鍵状態において、弾き部材２１と振動板２４との上下方向の距離は、弾き部材２２，２３と振動板２５，２６との上下方向の距離よりも大きくなる。この状態で押鍵すれば、弾き部材２２，２３が振動板２５，２６を弾くのに遅れて、弾き部材２１が振動板２４を弾く。これにより、図６に示す第３実施形態の変形例と同様の効果が得られる。また、この場合も、駆動ロッド上限ストッパ３８によってレバー２９及び駆動ロッド３６の上方への変位が規制される前の適当な位置で、レバー２９の踏み込み操作を停止すれば、振動板２４と振動板２５，２６との上下方向の距離を任意に変更することもできる。
【００３４】
さらに、本発明の実施にあたっては、上記実施形態に限定されるものではなく、本発明の目的を逸脱しない限りにおいて種々の変更が可能である。
【００３５】
上記第１乃至第３実施形態においては、鍵１１の後部上面側に組み付けられた弾き部によって、振動板を弾くようにした。しかし、図１２に示すように、押離鍵操作に伴って、弾き部を一定方向に回転させて振動板を弾くようにしてもよい。鍵１１は、上記実施形態と同様に支持され、下限ストッパ１６及び上限ストッパ１７によって、揺動範囲が規定されている。鍵１１の後部上面には、下部が円柱状に形成され、上部が半球状に形成された突起状のキャプスタン５１が組み付けられている。キャプスタン５１の上端には、アーム５２の前端部の下面が当接している。
【００３６】
アーム５２は、図１３に示すように、基部５３、第１駆動部５４及び第２駆動部５５から構成される。基部５３は、合成樹脂製で、下面の中間部から前方の部分が僅かに下方へ湾曲している。一方、基部５３の上面は、中間部から前方へ向かうに従って低くなる急傾斜の斜面を形成している。第１駆動部５４及び第２駆動部５５は金属製で円弧状に屈曲した屈曲部を有するように成形された板状部材である。各屈曲部の先端面は平面になっている。第１駆動部５４は基部５３の後端部の高音部側（演奏者から見て右側）の面上に、その屈曲部が上方から下方に向かうように組み付けられる。第２駆動部５５は、基部５３の低音部側（演奏者から見て左側）の面上に、その屈曲部が下方から上方へ向かうように組み付けられる。第１駆動部５４及び第２駆動部５５は、それぞれ屈曲部が基部５３の後端から後方へ張出しており、横方向に若干ずれて位置している。
【００３７】
アーム５２は、フレームＦＲに固定されたアーム支持部材５６に設けられた回転中心５６ａを中心として回転可能に支持される。アーム５２の後方には、回転式弾き部５７が、アーム支持部材５６に設けられた回転中心５６ｂを中心として回転可能に支持される。
【００３８】
回転式弾き部５７は、金属製で、図１４Ａ乃至図１４Ｃに示すように、第１乃至第４円板５７ａ，５７ｂ，５７ｃ，５７ｄを有し、高音部側から低音部側へ向かってこの順に等間隔に配置されるように、それぞれの中心が中心軸５７ｅに接合された部材である。なお、図１４Ａは回転式弾き部５７の右側面図であり、図１４Ｂは回転式弾き部５７の平面図であり、図１４Ｃは回転式弾き部の左側面図である。また、各円板の構成を明瞭に示すために、図１４Ａにおいては、第３及び第４円板５７ｃ，５７ｄを省略し、図１４Ｃにおいては、第１及び第２円板５７ａ，５７ｂを省略している。
【００３９】
第１円板５７ａ及び第４円板５７ｄは、同様の構成で、外周部に複数（例えば４つ）の弾き爪５７ａ１，５７ｄ１を有する。弾き爪５７ａ１，５７ｄ１は、第１及び第４円板の外周に突起状に設けられていて、それぞれ振動板２４，２６を弾く。弾き爪５７ａ１，５７ｄ１は、周方向の同一位置に設けられている。弾き爪５７ａ１，５７ｄ１の振動板２４，２６と当接する面は円弧状の曲面となっている。第２円板５７ｂは、弾き爪５７ａ１，５７ｄ１と同数の第１被駆動爪５７ｂ１を外周に有している。第１被駆動爪５７ｂ１は、突起状で、アーム５２の第１駆動部５４の先端面と当接する平面部と、第１駆動部５４の屈曲部と当接する円弧状の曲面部を有する。また、第３円板５７ｃも、第２円板５７ｂと同様に、弾き爪５７ａ１，５７ｄ１と同数の第２被駆動爪５７ｃ１をその外周に有する。第２被駆動爪５７ｃ１には、アーム５２の第２駆動部５５が当接する。第２被駆動爪５７ｃ１の形状は、第１被駆動爪５７ｂ１と同様である。ただし、第３円板５７ｃは第２円板５７ｂとは各被駆動爪５７ｂ１，５７ｃ１の位置が４５度ずれている。回転式弾き部５７の後方には振動板２４，２５，２６が第１実施形態と同様に構成されている。図１５に示すように、振動板２４，２６は、円板５７ａ，５７ｄの外周面に対向しており、振動板２５は、第２円板５７ｂと第３円板５７ｃの中間かつ後方に位置している。
【００４０】
次に、上記のように構成した鍵盤楽器の動作を説明する。図１６Ａ乃至図１９Ａは、回転式弾き部５７の周辺を拡大して高音部側から見た図であり、図１６Ｂ乃至図１９Ｂは、回転式弾き部５７の周辺を拡大して、低音部側から見た図である。また、第１駆動部５４、第１被駆動爪５７ｂ１、第２駆動部５５及び第２被駆動爪５７ｃ１の位置関係を明瞭に示すため、図１６Ａ乃至図１９Ａにおいては、第３及び第４円板５７ｃ，５７ｄを省略し、図１６Ｂ乃至図１９Ｂにおいては、第１及び第２円板５７ａ，５７ｂを省略している。離鍵時には、ばね１４によって、鍵１１の前部が上方へ付勢されて、図１２において時計回りに回転し、鍵１１の後部下面が下限ストッパ１７に当接して、図１２の状態となっている。このとき、アーム５２の第１駆動部５４は、図１６Ａに示すように、回転式弾き部５７の第１被駆動爪５７ｂ１から離れている。一方、図１６Ｂに示すように、アーム５２の第２駆動部５５の先端面は、回転式弾き部５７の第２被駆動爪５７ｃ１の平面部に当接した状態となっている。さらに、第２駆動部５５と第２被駆動爪５７ｃ１の円弧状の曲面同士が当接している。従って、この状態では、回転式弾き部５７は第２駆動部５５によって固定された状態になり、回転不可能となっている。
【００４１】
一方、ばね１４の付勢力に対抗して鍵１１を押すと、鍵１１は回転中心１３を中心として、図１２にて反時計回りに回転し始める。すると、鍵１１の後部が上方に変位し、キャプスタン５１に当接しているアーム５２の前部を上方へ変位させる。これにより、アーム５２は回転中心５６ａを中心として、図１２にて時計回りに回転する。さらに深く押鍵されると、図１７Ａに示すように、第１駆動部５４の先端面が第１被駆動爪５７ｂ１の平面部に当接して、回転式弾き部５７を図１７Ａにて時計回りに回転させようとする。このとき、図１７Ｂに示すように第２被駆動爪５７ｃ１は、第２駆動部５５から解放されているので、回転式弾き部５７は回転可能となっている。したがって、回転式弾き部５７が回転し、それに伴い弾き爪５７ａ１，５７ｄ１も回転する。その後、弾き爪５７ａ１，５７ｄ１は振動板２４，２６の自由端に当接して、振動板２４，２６の自由端側を下方へ押し曲げる。弾き爪５７ａ１，５７ｄ１がさらに回転すると、図１８Ａ及び図１８Ｂに示すように、弾き爪５７ａ１，５７ｄ１は振動板２４，２６を乗り越える。すなわち、弾き爪５７ａ１，５７ｄ１が振動板２４，２６を同時に弾く。そして、第２実施形態と同様に、振動板２４，２６が振動し、その振動が共鳴体２７により増幅され、鍵音高に対応する楽器音が発音される。また、振動板２５は、振動板２４，２６の振動に起因して共振する。そして、鍵１１の前部下面が下限ストッパ１６に当接すると、鍵１１の揺動は停止し、回転式弾き部５７の回転も停止する。この状態では、図１８Ｂに示すように、アーム５２の第２駆動部５５は、回転式弾き部５７の第２被駆動爪５７ｃ１から離れている。一方、図１８Ａに示すように、アーム５２の第１駆動部５４及び回転式弾き部５７の第１被駆動爪５７ｂ１の円弧状の曲面同士が当接するので、回転式弾き部５７は回転不可能になっている。
【００４２】
離鍵時には、ばね１４の付勢力によって鍵１１の前部が上方へ押し上げられる。これにより、鍵１１は回転中心１３を中心として、図１２において時計回りに回転し始める。鍵１１の後端部は下方へ変位し、アーム５２は自重により回転中心５６ａを中心として、図１２にて反時計回りに回転する。すると、図１９Ｂに示すように、第２駆動部５５の先端面が第２被駆動爪５７ｃ１の平面部に当接して、回転式弾き部５７を押鍵時と同じ方向（図１９Ａにて時計回り、すなわち図１９Ｂにおいて反時計回り）へ回転させようとする。このとき、図１９Ａに示すように、第１被駆動爪５７ｂ１は第１駆動部５４から解放されているので、回転式弾き部５７は回転可能となっている。したがって、回転式弾き部５７の回転により、押鍵によって振動板２４，２６を弾いた弾き爪５７ａ１，５７ｄ１が、振動板２４，２６から遠ざかる。鍵１１の後部下面が上限ストッパ１７に当接すると、鍵１１の前部の上方への変位が規制され、鍵１１は元の位置（図１２の位置）へ復帰し、アーム５２と回転式弾き部５７も元の位置（図１６Ａ及び図１６Ｂの位置）へ復帰する。
【００４３】
上記のように構成しても、鍵１１の押鍵操作に連動するアーム５２によって、回転式弾き部５７を回転させて振動板２４，２６を弾き、発音させることができる。そして、弾き部材によって弾かれない振動板２５も振動板２４，２６の振動に起因して共振する。したがって、上記第２実施形態と同様の効果が得られる。さらに、離鍵時には、弾き爪５７ａ１，５７ｄ１が振動板２４，２６から遠ざかる方向へ回転式弾き部５７を回転させることができる。すなわち、離鍵時に弾き爪５７ａ１，５７ｄ１が振動板２４，２６に接触しないので、雑音を発することがない。したがって、楽器の表現力をさらに向上させることができる。
【００４４】
また、第２及び第３円板５７ｂ，５７ｃの間に、第１円板５７ａ又は第４円板５７ｄと同様の円板を設ければ、振動板２４，２５，２６を同時に弾くことができ、上記第１実施形態と同様の効果が得られる。また、弾き爪５７ａ１，５７ｄ１をそれぞれ第１及び第４円板５７ａ，５７ｄの周方向の若干異なる位置に設ければ、振動板２４，２６が弾かれるタイミングがずれるので、上記第３実施形態と同様の効果が得られる。
【符号の説明】
【００４５】
１１・・・鍵、１２・・・鍵支持部、２１，２２，２３・・・弾き部材、２４，２５，２６・・・振動板、２７・・・共鳴体、４１・・・可動共鳴体、４２・・・固定共鳴体、５２・・・アーム、５７・・・回転式弾き部、５７ａ１，５７ｄ１・・・弾き爪、５７ｂ１・・・第１被駆動爪、５７ｃ１・・・第２被駆動爪、フレーム・・・ＦＲ
【図１】
2011075754.tif 000003
【図２】
2011075754.tif 000004
【図３】
2011075754.tif 000005
【図４】
2011075754.tif 000006
【図５】
2011075754.tif 000007
【図６】
2011075754.tif 000008
【図７】
2011075754.tif 000009
【図８Ａ】
2011075754.tif 000010
【図８Ｂ】
2011075754.tif 000011
【図９】
2011075754.tif 000012
【図１０】
2011075754.tif 000013
【図１１】
2011075754.tif 000014
【図１２】
2011075754.tif 000015
【図１３】
2011075754.tif 000016
【図１４Ａ】
2011075754.tif 000017
【図１４Ｂ】
2011075754.tif 000018
【図１４Ｃ】
2011075754.tif 000019
【図１５】
2011075754.tif 000020
【図１６Ａ】
2011075754.tif 000021
【図１６Ｂ】
2011075754.tif 000022
【図１７Ａ】
2011075754.tif 000023
【図１７Ｂ】
2011075754.tif 000024
【図１８Ａ】
2011075754.tif 000025
【図１８Ｂ】
2011075754.tif 000026
【図１９Ａ】
2011075754.tif 000027
【図１９Ｂ】
2011075754.tif 000028